(57)【要約】      （修正有）【課題】歩行の補助以外に、磁石やゲルマニウムを握り部に埋め込むことで、健康増進にも役立つ様にした杖を提供する。【解決手段】棒状本体部３と、地面を突くため該棒状本体部３の一端に設けられた滑り止め先端部４と、手で握るため該棒状本体部３の他端に設けられた握り部２とを具えた杖１において、前記握り部２の周面に磁石が埋め込まれた磁石埋込部５を設けることとした。このような杖１を使用すれば、使用している間中、磁石埋込部５より発する磁気が、常に握っている手に作用することになる。そのため、歩行を補助してくれるという本来の効果の他に、磁気による健康増進という効果を同時に受けることが出来るようになる。磁石の代わりにゲルマニウムを埋め込むようにしてもよい。【選択図】図１
0003151122.tif 000002
【実用新案登録請求の範囲】
【請求項１】
棒状本体部と、
手で握るため該棒状本体部の一方の端に設けられた握り部と
を具えた杖において、
前記握り部の周面に磁石が埋め込まれた磁石埋込部を設けた
ことを特徴とする杖。
【請求項２】
棒状本体部と、
手で握るため該棒状本体部の一方の端に設けられた握り部と
を具えた杖において、
前記握り部の周面にゲルマニウムが埋め込まれたゲルマニウム埋込部を設けた
ことを特徴とする杖。
【考案の詳細な説明】
【技術分野】
【０００１】
本考案は、歩行の際に使用する杖に関するものである。
【背景技術】
【０００２】
杖は、歩行を補助するために手の力を借りる道具であるから、歩行に不安を感じる人が使用するのが、本来の使い方である。例えば、足が弱って来ている高齢者とか、足をちょっとくじいたりした人とかに使用される。なお、お洒落（ファッション）のために使用する人も稀にはある。
【０００３】
図４は、従来の杖の１例を示す図である。図４において、１は杖、２は握り部、３は棒状本体部、４は滑り止め先端部である。滑り止め先端部４は、地面や床に突く部分であり、滑らかな床面であっても滑りにくい部材（例、硬質ゴム等）で作られている場合が多い。握り部２は、棒状本体部３に対してほぼ直角となるように形成されており、その太さおよび丸み等の形状は、人が片手で握り易く、且つ上から力をかけ易いようなものとされている。
このような杖１を使用する場合、片手で握り部２を握り、滑り止め先端部４を地面に突いて使用する。
【考案の開示】
【考案が解決しようとする課題】
【０００４】
前記した従来の杖は、単に歩行を補助するというたった１つの役目を果してくれるだけであり、その他には何の役目も果たしてくれるものではないという問題点があった。
本考案は、歩行をしている間中は常に手で握っているものであるという点に着目し、前記のような問題点を解決することを課題とするものである。
【課題を解決するための手段】
【０００５】
前記課題を解決するため、本考案では、棒状本体部と、手で握るため該棒状本体部の一方の端に設けられた握り部とを具えた杖において、前記握り部の周面に磁石が埋め込まれた磁石埋込部を設けることとした。
また、磁石の代わりにゲルマニウムを埋め込んだゲルマニウム埋込部を設けることとしてもよい。
【考案の効果】
【０００６】
本考案の杖によれば、これを使って歩行している間中、握り部に施した磁石埋込部より発する磁気が、常に握っている手に作用することになる。そのため、歩行を補助してくれるという本来の効果の他に、磁気による健康増進という効果を同時に受けることが出来るようになる。
磁石の代わりにゲルマニウムを埋め込んだ杖でも、同様にゲルマニウムの作用を受け、健康増進の効果を受けることが出来る。
【考案を実施するための最良の形態】
【０００７】
以下、本考案の実施形態を図面に基づいて詳細に説明する。
（第１の実施形態）
図１は、本考案の杖の実施形態を示す図である。符号は図４のものに対応し、５は磁石埋込部である。図１（１）は杖１の右側方から見た図、図１（２）は左側方から見た図である。
磁石埋込部５は、握り部２の周面に幾つか設けられる。図示した例では、握り部２の上面と、左右の側面にそれぞれ３箇所づつ設けられている。周面における位置としては、片手で握った場合、手で覆われる位置であることが望ましい。
なお、滑り止め先端部４は必ず設けなければならないというものではなく、本考案では必要に応じて設けてもよいし、設けなくてもよい（棒状本体部３と同じ材質のままとしておいてもよい。）。
【０００８】
図２は、本考案の杖の握り部の拡大図である。符号は図１のものに対応しており、Ａ−Ａは断面線の位置を示す符号である（その断面は図３）。図２（１）は握り部２の右側面を示し、図２（２）は握り部２の上面を示している。
図３は、磁石埋込部５の構造を説明する図である。符号は図２のものに対応しており、５１は埋込凹部、５１Ｄは段部、５２は磁石、５３はカバーである。段部５１Ｄは、埋込凹部５１の入口に、カバー５３を載置，固定するために設けられているものである。
図３（１）は磁石５２の埋め込みをする前の状態を示し、図３（２）は埋め込んだ後の状態を示している。
【０００９】
握り部２には、埋め込もうとする磁石５２が丁度入る位の埋込凹部５１が、予め設けられる。その中に磁石５２が入れられ、埋め込みがなされる。その埋め込んだ状態を確実に保持するため、磁石５２は埋込凹部５１の底に接着剤で接着するようにしてもよい。
次に、埋込凹部５１の入口に設けてある段部５１Ｄに、カバー５３を載置し、固定する。固定は、適宜な方法で行うことが出来る（例えば、接着剤で接着する）。
なお、カバー５３の部材としては、磁気を遮蔽しない材質の部材を使用する。磁石５２を握り部２に埋め込むそもそもの目的は、この磁石５２より発する磁気を人の手に作用させようとするところにあるわけであるから、磁気を遮蔽する金属等の部材を使用したのでは、その目的を達することが出来ないからである。
【００１０】
杖１を以上のような構造にすると、これを使用する際、握り部２を握る手には、磁石埋込部５の磁石５２から発する磁気が常に作用することになる。すると、血行を良くする等の一般に言われているような効能が生ぜしめられ、健康を増進することになる。かくして、本考案の杖１は、歩行を補助するという本来の機能の他に、磁気により健康を増進するという機能もあわせ持つものとなる。
【００１１】
（第２の実施形態）
前記した実施形態は、埋込凹部５１に磁石を埋め込んだものであるが、本考案の第２の実施形態は、磁石の代わりにゲルマニウムを埋め込むようにしたというものである。この実施形態を表す図は描いてはいないが、図１〜図３において、符号５の「磁石埋込部」を「ゲルマニウム埋込部」と読み替え、符号５２の「磁石」を「ゲルマニウム」と読み替えれば、この実施形態の図となる。
ゲルマニウムも人体に作用し、健康増進に良い影響を与えることは広く知られているところであり、それが埋め込まれた杖１も健康増進に資することは言うまでもない。
【００１２】
なお、例を示した図では、埋込凹部５１は握り部２の左右側面および上面にそれぞれ３箇所づつ設けたものを示したが、もっと多くの箇所としてもよい。また、埋込凹部５１を覆うカバー５３は必須のものではなく、コスト低減等のために省略してもよい。その場合は、握り部２の表面全体で凹凸が生じないよう、埋め込んだもの（磁石，ゲルマニウム）の上部表面を、握り部２の表面と同じ高さとなるようにするのが望ましい。
また、本考案の杖は図１のようにＴ字型ではなく、全体が一本の棒状となっているものでもよい。そういう棒状の杖の場合、その握り部（手で握る方の端部）の周面に、幾つか埋込凹部５１を設けることになる。
【図面の簡単な説明】
【００１３】
【図１】本考案の杖の実施形態を示す図
【図２】本考案の杖の握り部の拡大図
【図３】磁石埋込部の構造を説明する図
【図４】従来の杖の１例を示す図
【符号の説明】
【００１４】
１…杖、２…握り部、３…棒状本体部、４…滑り止め先端部、５…磁石埋込部、５１…埋込凹部、５１Ｄ…段部、５２…磁石、５３…カバー
【図１】
0003151122.tif 000003
【図２】
0003151122.tif 000004
【図３】
0003151122.tif 000005
【図４】
0003151122.tif 000006